(57)【要約】【課題】本発明は、穿孔刃の駆動にラックギアと扇形歯車と穿孔刃駆動歯車（又は穿孔刃駆動片）を使用して大きな穿孔能力を持つ２穴パンチ具を提供することを課題とする。【解決手段】基台に固定されたケースの上に出ているハンドルを押し下げることにより、ハンドルに固定されたラックギアで、ケースに回転自在に軸支されラックギアの両側に対向して配置された２つの扇形歯車を回転させ、それぞれの扇形歯車に固着され扇形歯車と同軸である小歯車で、他方の回転軸に回転自在に軸支され、２つの穿孔刃駆動歯車が互いに抵触しないような形状及び配置である２つの穿孔刃駆動歯車を回転させ、穿孔刃駆動歯車で穿孔刃を駆動して書類を穿孔する、構成とした。【選択図】図１
2015136760.tif 000002
【特許請求の範囲】
【請求項１】
基台に固定されたケースの上に出ているハンドルを押し下げることにより、
ハンドルに固定されたラックギアで、ケースに回転自在に軸支されラックギアの両側に対向して配置された２つの扇形歯車を回転させ、
それぞれの扇形歯車に固着され扇形歯車と同軸である小歯車で、他方の回転軸に回転自在に軸支され、２つの穿孔刃駆動歯車が互いに抵触しないような形状及び配置である２つの穿孔刃駆動歯車を回転させ、
穿孔刃駆動歯車で穿孔刃を駆動して書類を穿孔する、
２穴パンチ具。
【請求項２】
基台に固定されたケースの上に出ているハンドルを押し下げることにより、
ハンドルに固定されたラックギアで、ケースに回転自在に軸支されラックギアの両側に対向して配置された２つの扇形歯車を回転させ、
それぞれの扇形歯車に固着されたピンで、他方の回転軸に回転自在に軸支され、２つの穿孔刃駆動片が互いに抵触しないような形状及び配置である２つの穿孔刃駆動片を駆動し、
穿孔刃駆動片で穿孔刃を駆動して書類を穿孔する、
２穴パンチ具。
【発明の詳細な説明】
【技術分野】
【０００１】
この発明は、穿孔刃の駆動にラックギアと扇形歯車と穿孔刃駆動歯車（又は穿孔刃駆動片）を使用する２穴パンチ具に関する。
【背景技術】
【０００２】
ラックギア、ピニオンギア及びピニオンギアと同軸の小歯車を使用するパンチ具が考案されている。（例えば、特許文献１参照。）
【先行技術文献】
【特許文献】
【０００３】
【特許文献１】米国特許出願公開第２００２／００６６３５０号明細書
【発明の概要】
【発明が解決しようとする課題】
【０００４】
このパンチ具は、複数の穿孔刃が付いている１枚のプレートを２つの歯車で駆動する方式であるために、このプレートを正確に鉛直方向に駆動する必要があるが、歯車間の遊びのために２つの歯車を均等に駆動することは困難である。不均等に力が加えられたプレートを鉛直方向に均等に駆動するためには余分な力が必要であり、その分だけ大きな力を要することになる。
【０００５】
本発明は、上記の問題を解決することを課題とする。
【課題を解決するための手段】
【０００６】
上記の課題を解決するために、本発明（請求項１）の２穴パンチ具は、基台に固定されたケースの上に出ているハンドルを押し下げることにより、ハンドルに固定されたラックギアで、ケースに回転自在に軸支されラックギアの両側に対向して配置された２つの扇形歯車を回転させ、それぞれの扇形歯車に固着され扇形歯車と同軸である小歯車で、他方の回転軸に回転自在に軸支され、２つの穿孔刃駆動歯車が互いに抵触しないような形状及び配置である２つの穿孔刃駆動歯車を回転させ、穿孔刃駆動歯車で穿孔刃を駆動して書類を穿孔する、構成とした。
【０００７】
本発明（請求項２）の２穴パンチ具は、基台に固定されたケースの上に出ているハンドルを押し下げることにより、ハンドルに固定されたラックギアで、ケースに回転自在に軸支されラックギアの両側に対向して配置された２つの扇形歯車を回転させ、それぞれの扇形歯車に固着されたピンで、他方の回転軸に回転自在に軸支され、２つの穿孔刃駆動片が互いに抵触しないような形状及び配置である２つの穿孔刃駆動片を駆動し、穿孔刃駆動片で穿孔刃を駆動して書類を穿孔する、構成とした。
【発明の効果】
【０００８】
本発明の２穴パンチ具は、２つの穿孔刃を個別に駆動するため、２つの穿孔刃が正確に均等に駆動される必要はなく、製造及び組み立てが容易である。
【０００９】
扇形歯車で直接穿孔刃を駆動することも可能であるが、これだと、２つの穿孔刃の間隔が固定されていることから、設計の自由度が極端に狭くなる。これに対し、本発明の穿孔刃駆動歯車（又は穿孔刃駆動片）を介在させることにより、設計の自由度が増し、大きい扇形歯車を採用すれば大きな穿孔力を得ることもできる。
【図面の簡単な説明】
【００１０】
【図１】本発明（請求項１）の２穴パンチ具の実施例の非使用時の正面透視図である。
【図２】本発明（請求項１）の２穴パンチ具の実施例の使用時の正面透視図である。
【図３】本発明（請求項１）の２穴パンチ具の実施例の平面透視図である。
【図４】本発明の２穴パンチ具の実施例の斜視図である。
【図５】本発明（請求項２）の２穴パンチ具の実施例の非使用時の正面透視図である。
【図６】本発明（請求項２）の２穴パンチ具の実施例の使用時の正面透視図である。
【図７】本発明（請求項２）の２穴パンチ具の実施例の平面透視図である。
【発明を実施するための形態】
【００１１】
以下、本発明の実施の形態を図１〜図７に基づいて説明する。
【００１２】
本発明（請求項１）の２穴パンチ具にあっては、ハンドル４を下方に押し下げると、ラックギア５が下方に押し下げられ２つの扇形歯車７が回転する。これに伴い、扇形歯車７にそれぞれ固定されている小歯車８も回転し、穿孔刃駆動歯車Ａ１０及び穿孔刃駆動歯車Ｂ１１が下方に回転させられ、穿孔刃９が下方に押し下げられて書類を穿孔する。
【００１３】
穿孔刃駆動歯車Ａ１０及び穿孔刃駆動歯車Ｂ１１の回転軸は扇形歯車７の回転軸６を利用するが、穿孔刃駆動歯車Ａ１０及び穿孔刃駆動歯車Ｂ１１が抵触しないよう、穿孔刃駆動歯車Ｂ１１を穿孔刃駆動歯車Ａ１０の上方を迂回させる。
【００１４】
本発明（請求項２）の２穴パンチ具にあっては、ハンドル４を下方に押し下げると、ラックギア５が下方に押し下げられ２つの扇形歯車７が回転する。これに伴い、扇形歯車７にそれぞれ固定されている穿孔刃駆動片駆動ピン１５が下方に移動し、穿孔刃駆動片Ａ１６及び穿孔刃駆動片Ｂ１７が下方に押し下げられ、穿孔刃９が下方に押し下げられて書類を穿孔する。
【００１５】
穿孔刃駆動片Ａ１６及び穿孔刃駆動片Ｂ１７の回転軸は扇形歯車７の回転軸６を利用するが、穿孔刃駆動片Ａ１６及び穿孔刃駆動片Ｂ１７が抵触しないよう、穿孔刃駆動片Ｂ１７を穿孔刃駆動片Ａ１６の上方を迂回させる。
【符号の説明】
【００１６】
１    基台
２    ケース
３    パンチ屑溜めカバー
４    ハンドル
５    ラックギア
６    回転軸
７    扇形歯車
８    小歯車
９    穿孔刃
１０  穿孔刃駆動歯車Ａ
１１  穿孔刃駆動歯車Ｂ
１２  穿孔刃ガイド
１３  バネ
１４  穿孔孔ラックギアガイド
１５  穿孔刃駆動片駆動ピン
１６  穿孔刃駆動片Ａ
１７  穿孔刃駆動片Ｂ
１８  ラックギアガイド
【図１】
2015136760.tif 000003
【図２】
2015136760.tif 000004
【図３】
2015136760.tif 000005
【図４】
2015136760.tif 000006
【図５】
2015136760.tif 000007
【図６】
2015136760.tif 000008
【図７】
2015136760.tif 000009